【手続補正書】
【提出日】平成17年12月12日(2005.12.12)
【手続補正１】
【補正対象書類名】明細書
【補正対象項目名】発明の名称
【補正方法】変更
【補正の内容】
【発明の名称】バッファ機構及びターゲットシステム復号化器及びデータのバッファ化システム
【手続補正２】
【補正対象書類名】明細書
【補正対象項目名】特許請求の範囲
【補正方法】変更
【補正の内容】
【特許請求の範囲】
【請求項１】スムージングバッファを含むデジタルテレビ受信機によって同期化されたプレゼンテーションをするよう、データの送りを制御するためのバッファ機構であって、前記データのオーバーフローおよびアンダーフローを生じることなく、前記スムージングバッファからの前記データを受信するように作動が制限されたデータ基本バッファを含むことを特徴とするバッファ機構。
【請求項２】前記データ基本バッファのデータ容量は、前記受信機によるビデオ要素のディスプレイ時間内に前記受信機が受信できる前記データの量に応じて決定されることを特徴とする請求項１記載のバッファ機構。
【請求項３】前記ビデオ要素は、ビデオフレームであることを特徴とする請求項２に記載のバッファ機構。
【請求項４】前記ビデオ要素は、ビデオフィールドであることを特徴とする請求項２に記載のバッファ機構。
【請求項５】前記データ基本バッファのデータ容量は、前記受信機によるビデオ要素のディスプレイ時間内に前記受信機が受信できる前記データの最大容量の少なくとも約３倍であることを特徴とする請求項１に記載のバッファ機構。
【請求項６】前記ビデオ要素は、ビデオフレームであることを特徴とする請求項５に記載のバッファ機構。
【請求項７】前記ビデオ要素は、ビデオフィールドであることを特徴とする請求項５に記載のバッファ機構。
【請求項８】デジタルテレビ受信機のための同期化された補助データサービスを行うためのターゲットシステム復号化器であって、
（ａ）トランスポートストリーム多重分離器から前記同期化された補助データサービスのための第１の複数のトランスポートストリームデータパケットを受信するトランスポートバッファと、
（ｂ）トランスポートバッファリークレートで前記トランスポートバッファから第２の複数のトランスポートストリームデータパケットを受信するスムージングバッファと、
（ｃ）データのオーバーフローおよびアンダーフローを生じることなく作動するように制限されており、スムージングバッファリークレートで前記スムージングバッファから基本データストリームパケットデータを受信し、前記基本データストリームパケットデータを集め、データアクセスユニットを再構成するファーストインファーストアウトデータ基本バッファと、
（ｄ）指定された導入時間に前記データ基本バッファから前記データアクセスユニットを受信するアプリケーション復号化器とを含むことを特徴とするターゲットシステム復号化器。
【請求項９】前記データ基本バッファのデータ容量は、前記受信機によるビデオ要素のディスプレイ時間内に前記受信機が受信できる前記データ量に応じて決定されることを特徴とする請求項８に記載のターゲットシステム復号化器。
【請求項１０】前記ビデオ要素は、ビデオフレームであることを特徴とする請求項９に記載のターゲットシステム復号化器。
【請求項１１】前記ビデオ要素は、ビデオフィールドであることを特徴とする請求項９に記載のターゲットシステム復号化器。
【請求項１２】前記データ基本バッファのデータ容量は、前記受信機によるビデオ要素のディスプレイ時間内に前記受信機が受信できる前記データの最大容量の少なくとも約３倍であることを特徴とする請求項８に記載のターゲットシステム復号化器。
【請求項１３】前記ビデオ要素は、ビデオフレームであることを特徴とする請求項１２に記載のターゲットシステム復号化器。
【請求項１４】前記ビデオ要素は、ビデオフィールドであることを特徴とする請求項１２に記載のターゲットシステム復号化器。
【請求項１５】前記アプリケーション復号化器のための前記導入時間は、早期に前記データ基本バッファから除かれる前記別のデータアクセスユニットのためのプレゼンテーション時間スタンプによって指定される時間であることを特徴とする請求項８に記載のターゲットシステム復号化器。
【請求項１６】前記アプリケーション復号化器のための前記導入時間は、復号化時間スタンプによって指定される時間であることを特徴とする請求項８記載のターゲットシステム復号化器。
【請求項１７】前記アプリケーションデコーダのための前記導入時間は、前記アプリケーション復号化器への前記データアクセスユニットの導入のためのプレゼンテーション時間スタンプに先立つ時間として指定されることを特徴とする請求項８に記載のターゲットシステム復号化器。
【請求項１８】デジタルテレビ受信機によりビジュアルおよびオーディオデータストリームのうちの少なくとも１つのストリームの瞬間に同期化されたプレゼンテーションを行うためのデータをバッファ化するデータのバッファ化システムであって、
（ａ）データのオーバーフローまたはアンダーフローを生じることなく作動するように制限されており、データのアクセスユニットを再構成するようにデータを集めるデータ基本バッファの適当なサイズを設定する手段と、
（ｂ）ビジュアルおよびオーディオデータストリームのうちの前記少なくとも１つのストリームに含まれるプレゼンテーション時間スタンプと相関化された取り出し時間にプレゼンテーションのための前記データ基本バッファからデータの前記アクセスユニットを取り出す手段と、
（ｃ）スムージングバッファから前記データ基本バッファに前記データを付加する手段とを有することを特徴とするデータをバッファ化するためのデータのバッファ化システム。
【請求項１９】前記データ基本バッファのデータ容量は、前記受信機によるビデオ要素のディスプレイ時間内に前記受信機が受信できる前記データ量に応じて決定されることを特徴とする請求項１８に記載のデータのバッファ化システム。
【請求項２０】前記ビデオ要素は、ビデオフレームであることを特徴とする請求項１９に記載のデータのバッファ化システム。
【請求項２１】前記ビデオ要素は、ビデオフィールドであることを特徴とする請求項１９に記載のデータのバッファ化システム。
【請求項２２】前記データ基本バッファのデータ容量は、前記受信機によるビデオ要素のディスプレイ時間内に前記受信機が受信できる前記データの最大容量の少なくとも約３倍であることを特徴とする請求項１８に記載のデータのバッファ化システム。
【請求項２３】前記ビデオ要素は、ビデオフレームであることを特徴とする請求項２２に記載のデータのバッファ化システム。
【請求項２４】前記ビデオ要素は、ビデオフィールドであることを特徴とする請求項２２に記載のデータのバッファ化システム。
【請求項２５】前記受信機に対して適当な最大データレートに応じて決まる最大レートで、前記データ基本バッファに前記データを付加することを特徴とする請求項１８に記載のデータのバッファ化システム。
【請求項２６】トランスポートバッファから前記スムージングバッファにデータを転送することを更に含むことを特徴とする請求項１８に記載のデータのバッファ化システム。
【請求項２７】前記取り出し時間は、早期に前記データ基本バッファから除かれる他の前記データのユニットのためのプレゼンテーション時間スタンプによって指定される時間であることを特徴とする請求項１８に記載のデータのバッファ化システム。
【請求項２８】前記取り出し時間は、復号化時間スタンプによって指定される時間であることを特徴とする請求項１８記載のデータのバッファ化システム。
【請求項２９】前記取り出し時間は、前記データ基本バッファからの前記データのアクセスユニットの取り出しのためのプレゼンテーション時間スタンプに先立つ時間を指定することによって決定されることを特徴とする請求項１８に記載のデータのバッファ化システム。
【請求項３０】前記復号化時間スタンプは、明示的に定められることを特徴とする請求項１６に記載のターゲットシステム復号化器。
【請求項３１】前記復号化時間スタンプは、暗示的に定められることを特徴とする請求項１６に記載のターゲットシステム復号化器。
【請求項３２】前記復号化時間スタンプは、明示的に定められることを特徴とする請求項２８に記載のデータのバッファ化システム。
【請求項３３】前記復号化時間スタンプは、暗示的に定められることを特徴とする請求項２８に記載のデータのバッファ化システム。
【手続補正３】
【補正対象書類名】明細書
【補正対象項目名】００１３
【補正方法】変更
【補正の内容】
【００１３】
【発明が解決しようとする課題】
本発明は、上述のごとき実情に鑑みてなされたものであり、スムージングバッファを含むデジタルテレビ受信機によって同期化されたプレゼンテーションをするよう、データの送りを制御するためのバッファ機構であって、前記データのオーバーフローおよびアンダーフローを生じることなく、前記スムージングバッファからの前記データを受信するように作動が制限されたデータ基本バッファを含むバッファ機構であって、さらに前記データ基本バッファのデータ容量は、前記受信機によるビデオ要素のディスプレイ時間内に前記受信機が受信できる前記データ量に応じて決まるバッファ機構を提供すること、及び上記機能を有するターゲットシステム復号化器及びバッファ化システムを提供することを目的とするものである。
【手続補正４】
【補正対象書類名】明細書
【補正対象項目名】００１５
【補正方法】変更
【補正の内容】
【００１５】
デジタルテレビ受信機によりビジュアルおよびオーディオデータストリームのうちの少なくとも１つのストリームの瞬間に同期化されたプレゼンテーションを行うためのデータをバッファ化するシステムであって、データのオーバーフローまたはアンダーフローを生じることなく作動するように制限されており、データのアクセスユニットを再構成するようにデータを集めるデータ基本バッファの適当なサイズを設定する手段と、ビジュアルおよびオーディオデータストリームのうちの前記少なくとも１つに含まれるプレゼンテーション時間スタンプと相関化された取り出し時間にプレゼンテーションのための前記データ基本バッファからデータの前記アクセスユニットを取り出す手段と、スムージングバッファから前記データ基本バッファへ前記データを加える手段とを備えた、データをバッファ化するためのシステムが提供される。
【手続補正５】
【補正対象書類名】明細書
【補正対象項目名】００３５
【補正方法】変更
【補正の内容】
【００３５】
請求項１８の発明はデジタルテレビ受信機によりビジュアルおよびオーディオデータストリームのうちの少なくとも１つのストリームの瞬間に同期化されたプレゼンテーションを行うためのデータをバッファ化するデータのバッファ化システムであって、（ａ）データのオーバーフローまたはアンダーフローを生じることなく作動するように制限されており、データのアクセスユニットを再構成するようにデータを集めるデータ基本バッファの適当なサイズを設定する手段と、（ｂ）ビジュアルおよびオーディオデータストリームのうちの前記少なくとも１つのストリームに含まれるプレゼンテーション時間スタンプと相関化された取り出し時間にプレゼンテーションのための前記データ基本バッファからデータの前記アクセスユニットを取り出す手段と、（ｃ）スムージングバッファから前記データ基本バッファへ前記データを付加する手段とを有することを特徴としたものである。
【手続補正６】
【補正対象書類名】明細書
【補正対象項目名】００７３
【補正方法】変更
【補正の内容】
【００７３】
【発明の効果】
同期化されたデータサービスのためのデータアクセスユニットのサイズの限界を設定し、受信機の能力を越えない質およびレートで、適正に同期化されたプレゼンテーションを行えるように、データが適当な時間に到達し、データが失われないよう、送信機または送信局のＭＰＥＧ−２の多重化器に送信局のスケジュールを実行させる、同期化されたデータサービスを行うための補助サービスのターゲット復号化器、及びそれに用いるバッファ機構、及びデータのバッファ化システムが得られる。